(57)【特許請求の範囲】
【請求項１】
前面および後面の一部が開放されたカートリッジ本体；
前記カートリッジ本体の後面に一体に形成される第１結合部と、前記カートリッジ本体の後面に一体に形成され、前記第１結合部と離隔して配置される第２結合部を含むコネクター装着部；
前記カートリッジ本体の後面に一体に形成され、前記第１および第２結合部の間に位置するホルダー装着部；
使用者によって把持されるハンドルボディーと、前記ハンドルボディーの上側に回動可能に位置して、前記ホルダー装着部に着脱可能に結合されるホルダーを含むハンドルアセンブリー；
および前記第１および第２結合部に結合されて前記ホルダー装着部に結合された前記ホルダーの少なくとも一部を包み込むコネクターを含み、
前記コネクターは、
ベース部；
前記ベース部の一側から前方に向かって延長されて形成される第１側壁部；
前記ベース部の他側から前方に向かって延長されて形成される第２側壁部；
前記第１側壁部から一側に向かって突出して形成される第１結合突起；および
前記第２側壁部から他側に向かって突出して形成される第２結合突起を含み、
前記第１結合部は、前記第１結合突起が挿入される第１結合溝を有し、
前記第２結合部は、前記第２結合突起が挿入される第２結合溝を有し、
前記コネクターは、
前記第１側壁部の下端から下側に向かって延長されて形成される第１延長部；
前記第２側壁部の下端から下側に向かって延長されて形成される第２延長部；
前記第１延長部から一側に向かって突出して形成されて、前記第１結合部の下端を支持する第１支持突起；および
前記第２延長部から他側に向かって突出して形成されて、前記第２結合部の下端を支持する第２支持突起をさらに含む、カミソリ。
【請求項２】
前記コネクターは、
前記ベース部の上側から前方に向かって延長されて形成される第１フックをさらに含み、
前記コネクター装着部は、前記カートリッジ本体の後面に一体に形成されて前記第１フックと結合する第２フックを含む、請求項１に記載のカミソリ。
【請求項３】
前記第２フックは、前記第１結合部と前記第２結合部の間に位置する、請求項２に記載のカミソリ。
【請求項４】
前記第１結合部は、
前記カートリッジ本体の後面から後方に向かって延長されて形成される第１上側支持部；
前記カートリッジ本体の後面から後方に向かって延長されて形成され、前記第１上側支持部の下側に位置する第１下側支持部；
前記第１上側支持部の後端と前記第１下側支持部の後端とを連結する第１連結部；および
前記第１連結部の後端から前記第１結合溝に向かって傾斜した第１テーパー面を含み、
前記第２結合部は、
前記カートリッジ本体の後面から後方に向かって延長されて形成される第２上側支持部；
前記カートリッジ本体の後面から後方に向かって延長されて形成され、前記第２上側支持部の下側に離隔して配置される第２下側支持部；
前記第２上側支持部の後端と前記第２下側支持部の後端とを連結する第２連結部；および
前記第２連結部の後端から前記第２結合溝に向かって傾斜した第２テーパー面を含む、請求項１に記載のカミソリ。
【請求項５】
前記コネクターは、
前記ベース部の上側から前方に向かって延長されて形成される上側側壁部；および
前記上側側壁部の前端から前方に向かって突出して形成される少なくとも一つの係止突起をさらに含み、
前記コネクター装着部は、前記カートリッジ本体の後面から後方に向かって突出して前記係止突起の上端を支持する係止段をさらに含む、請求項１に記載のカミソリ。
【請求項６】
前記上側側壁部は、前端に少なくとも一つの挿入溝を含み、
前記コネクター装着部は、前記カートリッジ本体の後面から後方に向かって突出して前記挿入溝に挿入される挿入突起を含む、請求項５に記載のカミソリ。
【請求項７】
前記ホルダー装着部は、
前記カートリッジ本体の後面から後方に向かって延長されて形成される着脱突起；
前記着脱突起の一側から上側に向かって延長されて形成される第１結合段；および
前記着脱突起の他側から上側に向かって延長されて形成される第２結合段を含み、
前記ホルダーは、
前記着脱突起が載置される装着溝；
前記第１結合段と対応して形成されて前記第１結合段と着脱可能に結合される第１着脱フック部；および
前記第２結合段と対応して形成されて前記第２結合段と着脱可能に結合される第２着脱フック部を含む、請求項１に記載のカミソリ。
【請求項８】
前記着脱突起は、前記カートリッジ本体の後面の下側の中間部分に形成される、請求項７に記載のカミソリ。
【請求項９】
前記第１側壁部と前記第２側壁部は弾性材質からなる、請求項１に記載のカミソリ。
【発明の詳細な説明】
【技術分野】
【０００１】
本発明はカミソリに関するものであって、より詳細にはハンドルアセンブリーとカミソリカートリッジの結合構造を改善することによって、ハンドルアセンブリーをカミソリカートリッジに滑らかに着脱できるカミソリに関するものである。
【背景技術】
【０００２】
一般にカミソリは、顔の産毛やひげ、頬髯などの体毛を剃るためのものであって、把持のためのハンドルアセンブリーと皮膚に接触して体毛を剃るカミソリ刃が備えられたカミソリカートリッジとで構成される。このようなカミソリは、ハンドルアセンブリーとカミソリカートリッジとが分離される交換型またはハンドルアセンブリーとカミソリカートリッジとが固定されている一体型がある。
【０００３】
ハンドルアセンブリーとカミソリカートリッジとが分離される分離型カミソリの場合、ハンドルアセンブリーの上側に備えられるホルダーが、カミソリカートリッジのコネクターとホルダー装着部とが形成する空間に挿入されてホルダー装着部と結合する。また、ハンドルアセンブリーに備えられた操作ボタンをカミソリカートリッジ側に押すと、ハンドルアセンブリーのホルダーがホルダー装着部から分離される構造を有する。
【０００４】
従来のカミソリは、コネクターとホルダー装着部がカミソリカートリッジのカートリッジ本体に一体に形成されているため、カミソリカートリッジに外力が加えられてもコネクターとホルダー装着部の変形が殆どない。このため、従来のカミソリはカミソリカートリッジとハンドルアセンブリーとの間の結合力が堅固である。しかし、カミソリカートリッジとハンドルアセンブリーとの間の結合力が堅固であるため、カミソリに衝撃が加えられる時、カミソリカートリッジとハンドルアセンブリーとが分離されることはないものの、カミソリカートリッジのコネクターなどが衝撃によって破損する問題点があった。
【０００５】
また、従来のカミソリは、カミソリカートリッジとハンドルアセンブリーとの間の結合力が堅固であるため、カミソリカートリッジをハンドルアセンブリーから分離し難い問題点があった。
【先行技術文献】
【特許文献】
【０００６】
【特許文献１】韓国特許公開公報第２０１０−００６７３７２号（２０１０．０６．２１）
【発明の概要】
【発明が解決しようとする課題】
【０００７】
本発明が解決しようとする課題は、ハンドルアセンブリーとカミソリカートリッジの結合構造を改善することによって、ハンドルアセンブリーをカミソリカートリッジに滑らかに着脱できるカミソリを提供することである。
【０００８】
本発明の課題は以上で言及した課題に制限されず、言及されていないさらに他の課題は、下記の記載から当業者に明確に理解されるはずである。
【課題を解決するための手段】
【０００９】
前記課題を達成するために、本発明の実施例に係るカミソリは、前面および後面の一部が開放されたカートリッジ本体、前記カートリッジ本体の後面に一体に形成される第１結合部と、前記カートリッジ本体の後面に一体に形成され、前記第１結合部と離隔して配置される第２結合部を含むコネクター装着部、前記カートリッジ本体の後面に一体に形成され、前記第１および第２結合部の間に位置するホルダー装着部、使用者によって把持されるハンドルボディーと、前記ハンドルボディーの上側に回動可能に位置して前記ホルダー装着部に着脱可能に結合されるホルダーを含むハンドルアセンブリーおよび前記第１および第２結合部に結合されて前記ホルダー装着部に結合された前記ホルダーの少なくとも一部を包み込むコネクターを含む。
【００１０】
前記コネクターは、ベース部、前記ベース部の一側から前方に向かって延長されて形成される第１側壁部、前記ベース部の他側から前方に向かって延長されて形成される第２側壁部、前記第１側壁部から一側に向かって突出して形成される第１結合突起および前記第２側壁部から他側に向かって突出して形成される第２結合突起を含み、前記第１結合部は前記第１結合突起が挿入される第１結合溝を有し、前記第２結合部は前記第２結合突起が挿入される第２結合溝を有することができる。
【００１１】
前記ベース部の上側から前方に向かって延長されて形成される第１フック、前記第１側壁部の下端から下側に向かって延長されて形成される第１延長部、前記第２側壁部の下端から下側に向かって延長されて形成される第２延長部、前記第１延長部から一側に向かって突出して形成されて前記第１コネクター装着部の下端を支持する第１支持突起および前記第２延長部から他側に向かって突出して形成されて前記第２コネクター装着部の下端を支持する第２支持突起を含み、前記コネクター装着部は、前記カートリッジ本体の後面に一体に形成されて前記第１フックと結合する第２フックを含むことができる。
【００１２】
前記第２フックは、前記第１結合部と前記第２結合部の間に位置し得る。
【００１３】
前記第１結合部は、前記カートリッジ本体の後面から後方に向かって延長されて形成される第１上側支持部、前記カートリッジ本体の後面から後方に向かって延長されて形成され、前記第１上側支持部の下側に位置する第１下側支持部、前記第１上側支持部の後端と前記第１下側支持部の後端とを連結する第１連結部および前記第１連結部の後端から前記第１結合溝に向かって傾斜した第１テーパー面を含み、前記第２結合部は、前記カートリッジ本体の後面から後方に向かって延長されて形成される第２上側支持部、前記カートリッジ本体の後面から後方に向かって延長されて形成され、前記第２上側支持部の下側に離隔して配置される第２下側支持部、前記第２上側支持部の後端と前記第２下側支持部の後端とを連結する第２連結部および前記第２連結部の後端から前記第２結合溝に向かって傾斜した第２テーパー面を含むことができる。
【００１４】
前記コネクターは、前記ベース部の上側から前方に向かって延長されて形成される上側側壁部および前記上側側壁部の前端から前方に向かって突出して形成される少なくとも一つの係止突起をさらに含み、前記コネクター装着部は、前記カートリッジ本体の後面から後方に向かって突出して前記係止突起の上端を支持する係止段をさらに含むことができる。
【００１５】
前記上側側壁部は、前端に少なくとも一つの挿入溝を含み、前記コネクター装着部は、前記カートリッジ本体の後面から後方に向かって突出して前記挿入溝に挿入される挿入突起を含むことができる。
【００１６】
前記ホルダー装着部は、前記カートリッジ本体の後面から後方に向かって延長されて形成される着脱突起、前記着脱突起の一側から上側に向かって延長されて形成される第１結合段および前記着脱突起の他側から上側に向かって延長されて形成される第２結合段を含み、前記ホルダーは、前記着脱突起が載置される装着溝、前記第１結合段と対応して形成されて前記第１結合段と着脱可能に結合される第１着脱フック部および前記第２結合段と対応して形成されて前記第２結合段と着脱可能に結合される第２着脱フック部を含むことができる。
【００１７】
前記着脱突起は、前記カートリッジ本体の後面の下側の中間部分に形成され得る。
【００１８】
前記第１側壁部と前記第２側壁部は弾性材質で形成され得る。
【００１９】
その他の実施例の具体的な事項は詳細な説明および図面に含まれている。
【発明の効果】
【００２０】
本発明のカミソリによると、次のような効果が一つあるいはそれ以上ある。
【００２１】
ハンドルアセンブリーとカミソリカートリッジの結合構造を改善することによって、ハンドルアセンブリーをカミソリカートリッジに滑らかに着脱することができる。
【００２２】
また、カミソリカートリッジに一定以上の外部衝撃が加えられる場合、カートリッジ本体からコネクターが分離されるようにしてコネクターが破損することを防止することができる。
【００２３】
本発明の効果は以上で言及した効果に制限されず、言及されていないさらに他の効果は、特許請求の範囲の記載から当業者に明確に理解されるはずである。
【図面の簡単な説明】
【００２４】
【図１】本発明の一実施例に係るカミソリを図示した斜視図。
【図２】図１のカミソリでカミソリカートリッジとハンドルアセンブリーが分離された状態を図示した斜視図。
【図３】本発明の一実施例に係るカミソリカートリッジを図示した後方平面図。
【図４】図３のカミソリカートリッジでカートリッジ本体とコネクターが分離された状態を図示した斜視図。
【図５】本発明の一実施例に係るカミソリカートリッジのコネクターを上側から見た姿を図示した斜視図。
【図６】本発明の一実施例に係るカミソリカートリッジのコネクターを下側から見た姿を図示した斜視図。
【図７】本発明の一実施例に係るカミソリカートリッジのコネクターを図示した平面図。
【図８】本発明の一実施例に係るカミソリカートリッジのコネクターを図示した背面図。
【図９】本発明の一実施例に係るコネクターが分離されたカミソリカートリッジを図示した後方平面図。
【図１０】図３のＡ−Ａ部分を図示した断面図。
【図１１】図３のＢ−Ｂ部分を図示した断面図。
【図１２】図１でハンドルボディーを除去した状態を図示した後方平面図。
【図１３】図１２の断面図。
【発明を実施するための形態】
【００２５】
本発明の利点および特徴、そしてそれらを達成する方法は、添付される図面と共に詳細に後述されている実施例を参照すると明確となるはずである。しかし、本発明は、以下で開示される実施例に限定されるものではなく、互いに異なる多様な形態で具現され得、ただし、本実施例は本発明の開示を完全にし、本発明が属する技術分野で通常の知識を有する者に発明の範疇を完全に知らせるために提供されるものであり、本発明は請求項の範疇によって定義されるのみである。明細書全体に亘って同じ参照符号は同じ構成要素を指し示す。
【００２６】
本明細書で使用された用語は実施例を説明するためのものであり、本発明を制限しようとするものではない。本明細書において、単数型は文面で特に言及しない限り複数型も含む。明細書で使用される「含む（ｃｏｍｐｒｉｓｅｓ）」および／または「含む（ｃｏｍｐｒｉｓｉｎｇ）」は、言及された構成要素、段階、動作および／または素子に一つ以上の他の構成要素、段階、動作および／または素子の存在または追加を排除しない。
【００２７】
他の定義がない限り、本明細書で使用されるすべての用語（技術および科学的用語を含む）は、本発明が属する技術分野で通常の知識を有する者に共通して理解され得る意味で使用され得るはずである。また、一般的に使用される辞書に定義されている用語は、明白に特に定義されていない限り、理想的または過度に解釈されない。
【００２８】
以下、本発明の実施例によってカミソリを説明するための図面を参照して本発明について説明する。
【００２９】
図１は、本発明の一実施例に係るカミソリを図示した斜視図である。図２は、図１のカミソリでカミソリカートリッジとハンドルアセンブリーが分離された状態を図示した斜視図である。
【００３０】
図１および図２を参照すると、本発明の一実施例に係るカミソリ１０は、皮膚の体毛を切削するために複数のカミソリ刃１５０が備えられたカミソリカートリッジ１００と使用者に取っ手としての役割をするハンドルアセンブリー２００を含む。
【００３１】
カミソリカートリッジ１００は、ハンドルアセンブリー２００の上側に備えられたホルダー２３０に着脱可能に結合される。これにより、カミソリカートリッジ１００に備えられたカミソリ刃１５０の寿命が尽きた場合、別途のカミソリを購入する必要がなく、カミソリカートリッジ１００のみを取り換えてカミソリ１０を使用することができる。
【００３２】
また、カミソリカートリッジ１００はハンドルアセンブリー２００の上側に回動可能に結合される。カミソリカートリッジ１００がハンドルアセンブリー２００から回動することによって、皮膚に対するカミソリ１０の密着力は、カミソリカートリッジ１００がハンドルアセンブリー２００に固定された場合と比較して増大する。したがって、皮膚に加えられる刺激の程度を減らすことができるため、カミソリ１０のひげそり性能を向上させることができる。
【００３３】
このような、カミソリカートリッジ１００は、カートリッジ本体１１０、コネクター装着部１２０、ホルダー装着部１３０、カミソリ刃１５０、コネクター１４０を含む。
【００３４】
カートリッジ本体１１０は、図１および図２に図示された通り、全体として両側に長く形成される四角状を有し、皮膚に対する刺激を減らすために角の部分が曲面に形成され得る。
【００３５】
また、カートリッジ本体１１０は前面および後面の一部が開放するように形成される。したがって、髭そり時にカミソリ刃１５０により切られたひげなどが開放された形態のカートリッジ本体１１０の上面および下面を通じて円滑に外部に排出され得る。
【００３６】
カートリッジ本体１１０の前面には、少なくとも一つのカミソリ刃１５０が設置されるカミソリ刃設置部（図示されず）が備えられる。このような、カミソリ刃設置部は、カミソリ刃の幅方向の両端がそれぞれ挿入される設置溝（図示されず）と、カミソリ刃の後端の一部を支持する少なくとも一つのカミソリ刃支持部（符号なし）を含む。また、設置溝は、設置溝の前端でカミソリ刃のカッティングエッジが形成された前方領域だけが突出され得るように陥没深さを有する。そして、支持部は、カミソリ刃の両端がそれぞれ挿入される設置溝の間に位置してカミソリ刃の後端を支持する。
【００３７】
カートリッジ本体１１０のカミソリ刃設置部にカミソリ刃が設置されると、クリップ（符号なし）がカミソリ刃の両側をそれぞれ包み込む。したがって、カミソリ刃はカートリッジ本体１１０の前面に固定される。
【００３８】
カートリッジ本体１１０の後面には、コネクター１４０が結合されるコネクター装着部１２０が一体に形成される。また、カートリッジ本体１１０の後面には、ホルダー２３０が着脱可能に結合されるホルダー装着部１３０が一体に形成される。したがって、カートリッジ本体１１０の後面には、コネクター装着部１２０とホルダー装着部１３０が一体に形成される。これについての詳しい事項は後述する。
【００３９】
カミソリ刃１５０は少なくとも一つがカートリッジ本体１１０の前面に設置される。図１および図２に図示された通り、５個のカミソリ刃１５０がカートリッジ本体１１０の前面に設置され得る。したがって、髭そり時に複数のカミソリ刃１５０が体毛を順に通り過ぎるため、体毛に対する切削力を向上させることができる。
【００４０】
コネクター１４０はカートリッジ本体１１０の後面に形成されたコネクター装着部１２０に結合される。実施例によりコネクター１４０はコネクター装着部１２０に締り嵌め、中間嵌め等で結合され得るがこれに限定されない。
【００４１】
コネクター１４０はコネクター装着部１２０に結合されてホルダー２３０が装着される空間を形成する。これについての詳しい事項は後述する。
【００４２】
ハンドルアセンブリー２００は、使用者によって把持されるハンドルボディー２１０と、ハンドルボディー２１０の上側に設置されるハウジング２２０と、ハウジング２２０の上側に回動可能に設置されてホルダー装着部１３０に着脱可能に結合されるホルダー２３０を含む。これについての詳しい事項は後述する。
【００４３】
図３は、本発明の一実施例に係るカミソリカートリッジを図示した後方平面図である。図４は、図３のカミソリカートリッジでカートリッジ本体とコネクターが分離された状態を図示した斜視図である。
【００４４】
図３および図４を参照すると、前述した通り、カートリッジ本体１１０の後面にはコネクター装着部１２０とホルダー装着部１３０が形成される。コネクター装着部１２０とホルダー装着部１３０はカートリッジ本体１１０と一体に形成され得る。そして、コネクター１４０がコネクター装着部１２０に結合されることにより、ホルダー装着部１３０に結合されるホルダー２３０の少なくとも一部を収容する収容空間を形成するようになる。換言すると、コネクター１４０はコネクター装着部１２０に結合されることにより、ホルダー装着部１３０に結合されるホルダー２３０の少なくとも一部を包み込むようになる。
【００４５】
したがって、コネクターにホルダー装着部が一体に形成された従来のカミソリとは異なり、本発明の一実施例に係るカミソリ（１０、図１参考）は、ホルダー装着部１３０がコネクター１４０に形成されずにカートリッジ本体１１０の後面に形成される。換言すると、ホルダー装着部１３０はコネクター１４０と分離された構成になっている。
【００４６】
従来のカミソリは、カートリッジ本体とコネクターを含むカミソリカートリッジとハンドルボディーとホルダーを含むハンドルアセンブリーを含む。コネクターはカートリッジ本体に一体に形成されるか結合され得、ハンドルアセンブリーのホルダーが着脱可能に結合されるホルダー装着部を有する。
【００４７】
このような従来のカミソリは、カミソリが底に落ちるなどの理由でカミソリに一定水準以上の外部衝撃が加えられると、コネクターがホルダーに加えられる外部衝撃まで吸収して容易に破損することがしばしば発生した。
【００４８】
しかし、本発明の一実施例に係るカミソリ１０は、ホルダー装着部１３０とコネクター１４０が分離された構成で形成されている。したがって、カミソリカートリッジ１００に一定の範囲内の外部衝撃が加えられても、コネクター１４０がカートリッジ本体１１０とは別個で変形されて外部衝撃を吸収することができる。したがって、コネクターとカートリッジ本体とが一体に形成される従来のカミソリに比べて外部衝撃による破損可能性が少なくなる。また、一定水準以上の外部衝撃が加えられる場合には、コネクター１４０がカートリッジ本体１１０から分離され得るため、コネクターとカートリッジ本体が一体に形成される従来のカミソリに比べて外部衝撃による破損可能性が少なくなる。
【００４９】
また、前述した通り、コネクター１４０がコネクター装着部１２０に結合される場合、ハンドルアセンブリー２００の上側に備えられたホルダー２３０が収容される収容空間を形成する。また、コネクター１４０とコネクター装着部１２０が形成する収容空間の略中間には、ホルダー２３０が着脱可能に結合されるホルダー装着部１３０が位置する。
【００５０】
このような、カミソリカートリッジ１００のコネクター１４０、コネクター装着部１２０およびホルダー装着部１３０については後述する。
【００５１】
図５は、本発明の一実施例に係るカミソリカートリッジのコネクターを上側から見た姿を図示した斜視図である。図６は、本発明の一実施例に係るカミソリカートリッジのコネクターを下側から見た姿を図示した斜視図である。図７は、本発明の一実施例に係るカミソリカートリッジのコネクターを図示した平面図である。図８は、本発明の一実施例に係るカミソリカートリッジのコネクターを図示した背面図である。
【００５２】
図５〜図８を参照すると、本発明の一実施例に係るコネクター１４０は、ベース部１４１、両側側壁部１４２、上側側壁部１４６、延長部１４４、第１フック１４７、結合突起１４３および支持突起１４５を含む。
【００５３】
ベース部１４１は、カートリッジ本体の後面に形成されたコネクター装着部１２０と対向するように配置される。したがって、ベース部１４１は前方に配置されたコネクター装着部１２０と離隔して配置される。
【００５４】
図６に図示された通り、ベース部１４１は略四角状を有する。また、ベース部１４１の角部分は丸い形状で形成される。それだけでなく、ベース部１４１は下端の中間部分に上側に凹んだ凹溝１４１ａが形成される。これはベース部１４１と後述するホルダー装着部１３０の着脱突起１３１の間に発生する干渉を最小化するためである。
【００５５】
また、図８に図示された通り、ベース部１４１、両側側壁部１４２および上側側壁部１４６により形成されるコネクター１４０の内部形状は、ホルダー２３０の外観と対応して形成される。したがって、コネクター１４０とコネクター装着部１２０が形成する収容空間がホルダー２３０の形状と対応して形成され得る。
【００５６】
第１フック１４７はベース部１４１の上側からコネクター装着部１２０に向かって延長されて形成される。換言すると、第１フック１４７はベース部１４１の上側から前方に向かって延長されて形成される。
【００５７】
図５に図示された通り、第１フック１４７は、ベース部１４１の上側の中間から前方に向かって延長されて形成される。また、第１フック１４７は後述するコネクター装着部１２０の第２フック１２３とフック結合される。また、第１フック１４７と第２フック１２３は弾性材質で形成され得る。したがって、第１フック１４７と第２フック１２３は、コネクター１４０に加えられる外力によって弾力的に回動され得る。
【００５８】
上側側壁部１４６はベース部１４１の上側からコネクター装着部１２０に向かって延長されて形成される。換言すると、上側側壁部１４６はベース部１４１の上側から前方に向かって延長されて形成される。したがって、第１フック１４７と上側側壁部１４６は、ベース部１４１の上側から前方に向かって延長されて形成される。
【００５９】
図５に図示された通り、上側側壁部１４６は第１フック１４７に対応する部分が開放される。したがって、上側側壁部１４６は、第１フック１４７を基準として一側に位置した第１上側側壁部１４６１と、第１フック１４７を基準として他側に位置した第２上側側壁部１４６２とを含む。
【００６０】
図７に図示された通り、第１上側側壁部１４６１と第２上側側壁部１４６２は、第１フック１４７を基準として対称となるように形成される。また、上側側壁部１４６は、外力によって圧縮および／または伸張され得る弾性材質で形成され得る。
【００６１】
図８に図示された通り、上側側壁部１４６は前端に少なくとも一つの挿入溝１４６４を含む。挿入溝１４６４には、後述するコネクター装着部１２０の挿入突起１２４が挿入されてコネクター１４０とコネクター装着部１２０との間の結合を強化することができる。
【００６２】
図８に図示された通り、挿入溝１４６４は、第１および第２上側側壁部１４６１、１４６２の前端にそれぞれ形成される。また、それぞれの挿入溝１４６４は、第１フック１４７を基準として互いに対称となるように形成される。
【００６３】
また、上側側壁部１４６の前端には少なくとも一つの係止突起１４６３が形成される。係止突起１４６３は上側側壁部１４６の前端から前方に向かって突出して形成される。
【００６４】
図６および図８に図示された通り、係止突起１４６３は第１および第２上側側壁部１４６１、１４６２の前端にそれぞれ形成され、第１フック１４７と隣接して位置する。また、それぞれの係止突起１４６３は第１フック１４７を基準として互いに対称となるように形成される。このような、係止突起１４６３は、後述するコネクター装着部１２０の係止段（１２５、図９参考）に係止されてコネクター１４０の上側への移動を制限する役割をする。
【００６５】
図５に図示された通り、両側側壁部１４２はベース部１４１の両側からコネクター装着部１２０に向かって延長されて形成される。ここで、両側は左右側と定義され得る。
【００６６】
図７に図示された通り、両側側壁部１４２はベース部１４１の一側から前方に向かって延長されて形成される第１側壁部１４２１と、ベース部１４１の他側から前方に向かって延長されて形成される第２側壁部１４２２を含む。また、第１側壁部１４２１と第２側壁部１４２２は、第１フック１４７を基準として互いに対称となるように配置される。ここで、一側は右側を意味し、他側は左側を意味するが、これに限定されない。
【００６７】
第１および第２側壁部１４２１、１４２２は、ベース部１４１に対して略垂直に延長されて形成される。また、第１および第２側壁部１４２１、１４２２には結合突起１４３がそれぞれ形成される。
【００６８】
また、第１および第２側壁部１４２１、１４２２は、外力によって圧縮および／または伸張され得る弾性材質で構成され得る。
【００６９】
結合突起１４３は両側側壁部１４２から両側に向かって突出して形成される。結合突起１４３は、後述するコネクター装着部１２０の結合溝１２１１、１２２１にそれぞれ挿入されて、コネクター１４０がコネクター装着部１２０に結合されるようにする。図７に図示された通り、結合突起１４３は両側側壁部１４２から両側にそれぞれ突出して形成されるので一対が備えられる。したがって、結合突起１４３は、第１側壁部１４２１から一側に向かって突出して形成される第１結合突起１４３１と、第２側壁部１４２２から他側に向かって突出して形成される第２結合突起１４３２を含む。
【００７０】
第１結合突起１４３１は第１側壁部１４２１の下側に形成され、後述するコネクター装着部１２０の第１結合溝１２１１に挿入される。また、第２結合突起１４３２は第２側壁部１４２２の下側に形成され、後述したコネクター装着部１２０の第２結合溝１２２１に挿入される。
【００７１】
延長部１４４は、両側側壁部１４２の下端から下側に向かってそれぞれ延長されて形成される。したがって、延長部１４４は、第１側壁部１４２１の下端から下側に向かって延長されて形成される第１延長部１４４１と、第２側壁部１４２２の下端から下側に向かって延長されて形成される第２延長部１４４２を含む。第１延長部１４４１と第２延長部１４４２は、第１フック１４７を基準として互いに対称となるように形成される。
【００７２】
また、第１延長部１４４１の少なくとも一部は、後述するコネクター装着部１２０の第１結合部１２１よりも下側に位置するようになる。また、第２延長部１４４２の少なくとも一部は、後述するコネクター装着部１２０の第２結合部１２２よりも下側に位置するようになる。
【００７３】
支持突起１４５は延長部１４４の下側から外側に向かって突出して形成されて、後述するコネクター装着部１２０の第１および第２結合部１２１、１２２の下端を支持する役割をする。
【００７４】
図７に図示された通り、支持突起１４５は、第１延長部１４４１の下側から一側に向かって突出して形成される第１支持突起１４５１と、第２延長部１４４２の下側から他側に向かって突出して形成される第２支持突起１４５２を含む。
【００７５】
支持突起１４５は結合突起１４３よりも下側に離隔して配置される。したがって、支持突起１４５と結合突起１４３の間には、後述する結合部１２１、１２２の下側支持部１２１３、１２２３が位置する空間が形成される。
【００７６】
また、支持突起１４５と結合突起１４３との間の空間は下側支持部１２１３、１２２３よりも大きく形成されて、コネクター１４０が微小に動くことができるようにする。例えば、支持突起１４５と結合突起１４３との間の離隔距離は下側支持部１２１３、１２２３の上下方向の幅よりも大きく形成され得る。
【００７７】
図９は、本発明の一実施例に係るコネクターが分離されたカミソリカートリッジを図示した後方平面図である。図１０は、図３のＡ−Ａ部分を図示した断面図である。図１１は、図３のＢ−Ｂ部分を図示した断面図である。
【００７８】
図９〜図１１に図示された通り、カートリッジ本体１１０の後面には、コネクター装着部１２０が形成される。コネクター装着部１２０は、カートリッジ本体１１０の後面から後方に向かって延長されて形成される一対の結合部１２１、１２２を含む。
【００７９】
このような一対の結合部１２１、１２２は、カートリッジ本体１１０の後面に一体に形成される第１結合部１２１と、カートリッジ本体１１０の後面に一体に形成されて第１結合部１２１と離隔して配置される第２結合部１２２を含む。第１および第２結合部１２１、１２２は、カートリッジ本体１１０の中間部分を基準として互いに対称となるように形成される。
【００８０】
また、第１結合部１２１には、コネクター１４０の第１結合突起１４３１が挿入される第１結合溝１２１１が形成される。また、第２結合部１２２には、コネクターの第２結合突起１４３２が挿入される第２結合溝１２２１が形成される。
【００８１】
図９および図１１に図示された通り、第１結合部１２１は、カートリッジ本体１１０の中間部分を基準として一側に位置し、第２結合部１２２はカートリッジ本体の中間部分を基準として他側に位置する。本発明の一実施例において、一側は右側を意味し、他側は左側を意味するがこれに限定されない。
【００８２】
図４に図示された通り、第１および第２結合溝１２１１、１２２１は、前方が開放された略「Ｕ」字状に形成されるが、これに限定されない。また、第１および第２結合溝１２１１、１２２１は、第１および第２結合突起１４３１、１４３２よりも大きく形成される。例えば、第１および第２結合溝１２１１、１２２１の大きさは、第１および第２結合突起１４３１、１４３２が隙間嵌めが可能な公差範囲内にあるように形成されることが好ましい。
【００８３】
これにより、結合溝１２１１、１２２１と結合突起１４３１、１４３２との間には若干の空間が形成されるので、コネクター１４０が外力によって微小に動くことができる。しかし、コネクター１４０は、結合溝１２１１、１２２１と結合突起１４３１、１４３２との間の空間内でのみ微小に動くようになる。
【００８４】
例えば、ホルダー装着部１３０に結合されたホルダー２３０を分離する場合、使用者は後述するプッシュボタン（２４１、図１３参考）を通じてコネクター１４０を上側に押し出す。換言すると、使用者はプッシュボタン２４１を通じてコネクター１４０に外力を加える。
【００８５】
結合溝１２１１、１２２１が結合突起１４３１、１４３２よりも大きく形成されるので、コネクター１４０に外力が加えられるとコネクター１４０は微小に動くことができる。したがって、ホルダー２３０が収容された収容空間が微小ではあるが大きくなるので、ホルダー２３０はホルダー装着部１３０から容易に分離され得る。
【００８６】
これに反し、ホルダー装着部がコネクターに形成された従来のカミソリは、コネクターに外力が加えられても、ホルダーを収容する空間がほとんど変化しない。したがって、使用者は大きい外力をコネクターに加えて無理にホルダーをホルダー装着部から分離しなければならない。したがって、使用者はホルダーをホルダー装着部から分離する時、不便さを感じ得る。
【００８７】
また、第１結合部１２１は、カートリッジ本体１１０の後面から後方に延びる第１上側支持部１２１２と、カートリッジ本体１１０の後面から後方に延びて第１上側支持部１２１２の下側に離隔して配置される第１下側支持部１２１３と、第１上側支持部１２１２の後端と第１下側支持部１２１３の後端とを連結する第１連結部１２１４を含む。
【００８８】
したがって、第１上側支持部１２１２と第１下側支持部１２１３の間には空間が形成され、第１上側支持部１２１２と第１下側支持部１２１３が形成する空間が第１結合溝１２１１となる。
【００８９】
また、第１結合部１２１は、第１連結部１２１４の後端から第１結合溝１２１１に向かって傾斜した第１テーパー面１２１５をさらに含む。第１テーパー面１２１５は、第１結合突起１４３１が第１結合溝１２１１に挿入される過程において、第１結合突起１４３１が第１結合溝１２１１に向かって移動するのをガイドする役割をする。したがって、第１結合突起１４３１は、第１テーパー面１２１５に沿って容易に第１結合溝１２１１に向かって移動して挿入され得る。
【００９０】
第２結合部１２２は、カートリッジ本体１１０の後面から後方に延びる第２上側支持部１２２２と、カートリッジ本体１１０の後面から後方に向かって延長されて形成され、第２上側支持部１２２２の下側に離隔して配置される第２下側支持部１２２３と、第２上側支持部１２２２の後端と第２下側支持部１２２３の後端とを連結する第２連結部１２２４を含む。
【００９１】
したがって、第２上側支持部１２２２と第２下側支持部１２２３の間には空間が形成され、第２上側支持部１２２２と第２下側支持部１２２３が形成する空間が第２結合溝１２２１となる。
【００９２】
前述した通り、第１下側支持部１２１３は、第１結合突起１４３１と第１支持突起１４５１の間の空間に位置するようになる。また、第２下側支持部１２２３は、第２結合突起１４３２と第２支持突起１４５２の間の空間に位置するようになる。
【００９３】
また、第２結合部１２２は、第２連結部１２２４の後端から第２結合溝１２２１に向かって傾斜した第２テーパー面１２２５をさらに含む。第２テーパー面１２２５は、第２結合突起１４３２が第２結合溝１２２１に挿入される過程において、第２結合突起１４３２が第２結合溝１２２１に向かって移動するのをガイドする役割をする。したがって、第２結合突起１４３２は、第２テーパー面１２２５に沿って容易に第２結合溝１２２１に向かって移動して挿入され得る。
【００９４】
また、コネクター装着部１２０は、カートリッジ本体１１０の後面に一体に形成されて、前述したコネクター１４０の第１フック１４７とフック結合する第２フック１２３をさらに含む。図４に図示された通り、第２フック１２３は、カートリッジ本体１１０の後面の上側の中間部分から後方に向かって突出して形成される。第２フック１２３は、前述した第１フック１４７とフック結合されてコネクター装着部１２０とコネクター１４０間の結合力を増大させる。
【００９５】
コネクター装着部１２０は、前述したコネクター１４０の係止突起１４６３と対応する位置に係止段１２５が形成される。係止段１２５は、カートリッジ本体１１０の後面から後方に向かって突出して形成され、コネクター１４０が上側方向に移動することを防止する役割をする。
【００９６】
また、コネクター装着部１２０は、前述したコネクター１４０の挿入溝１４６４に対応する位置に挿入突起１２４が形成される。挿入突起１２４は、カートリッジ本体１１０の後面から後方に向かって突出して形成されて挿入溝１４６４に挿入される。したがって、コネクター装着部１２０とコネクター１４０間には結合力が増大する。
【００９７】
また、カミソリカートリッジ１００は、カートリッジ本体１１０の後面に一体に形成されたホルダー装着部１３０を含む。ホルダー装着部１３０は、前述したハンドルアセンブリー２００のホルダー２３０が着脱可能に結合される部分である。
【００９８】
また、ホルダー装着部１３０は、コネクター装着部１２０の第１および第２結合部１２１、１２２の間に位置する。図４に図示された通り、ホルダー装着部１３０は、カートリッジ本体１１０の略中間部分に形成される。
【００９９】
ホルダー装着部１３０は、カートリッジ本体１１０の後面から後方に向かって延長されて形成される着脱突起１３１と、着脱突起１３１の両側から上側に向かって延長されて形成される結合段１３２を含む。
【０１００】
本発明の一実施例において、 結合段 １３２は、着脱突起１３１の一側から上側に向かって延長されて形成される第１結合段１３２１と、着脱突起１３１の他側から上側に向かって延長されて形成される第２結合段１３２２を含む。本発明の一実施例において一側は右側を意味し、他側は左側を意味するが、これに限定されない。
【０１０１】
図９に図示された通り、着脱突起１３１はカートリッジ本体１１０の後面の下側の中間部分から後方に向かって延長されて形成される。したがって、着脱突起１３１は、第２フック１２３とともにカートリッジ本体１１０の中間部分に位置し、第２フック１２３とは互いに対向するように配置される。
【０１０２】
図９に図示された通り、第１および第２結合段１３２１、１３２２の上端には、後述するホルダー２３０の着脱フック部２３２の下端が支持される。換言すると、ハンドルアセンブリー２００のホルダー２３０が前述したコネクター装着部１２０とコネクター１４０が形成する収容空間に挿入される時、ホルダー２３０の着脱フック部２３２は第１および第２結合段１３２１、１３２２にそれぞれ係止される。したがって、ハンドルアセンブリー２００はカミソリカートリッジ１００に結合される。
【０１０３】
また、第１および第２結合段１３２１、１３２２は、着脱突起１３１を基準として互いに対称となるように配置される。そして、第１および第２結合段１３２１、１３２２は、ハンドルアセンブリー２００のホルダー２３０により外力が加えられる場合、弾力的に回動することができる。したがって、第１および第２結合段１３２１、１３２２は、弾性材質で形成されることが好ましい。
【０１０４】
図１２は、図１でハンドルボディーを除去した状態を図示した後方平面図である。図１３は、図１２の断面図である。
【０１０５】
図１２に図示された通り、ハンドルアセンブリー２００は、ハウジング２２０およびホルダー２３０を含む。
【０１０６】
ホルダー２３０はハンドルボディー２１０の上側に回動可能に設置される。ホルダー２３０は着脱突起１３１が載置される装着溝２３１を含む。装着溝２３１はホルダー２３０の中間部分に形成される。
【０１０７】
また、図１２および図１３を参照すると、ホルダー２３０は、両側に外側に突出して形成されるピボット軸（図示されず）がそれぞれ備えられ、ピボット軸はハウジング２２０に備えられたピボット孔（図示されず）に挿入される。したがって、ホルダー２３０はピボット軸を中心に回動するようになる。ただし、所定の実施例において、ホルダー２３０とハウジング２２０の雌雄の結合関係が変更されうる。例えば、ハウジング２２０は内側に突出して形成されるピボット軸がそれぞれ備えられ、ホルダー２３０は両側にハウジング２２０のピボット軸が挿入されるピボット孔が形成され得る。
【０１０８】
また、ホルダー２３０は、前端にホルダー装着部１３０の結合段１３２と対応して形成された着脱フック部２３２を含む。具体的には、着脱フック部２３２は、装着溝２３１を中心に両側に形成される第１着脱フック部２３２１と第２着脱フック部２３２２を含む（図２参照）。第１着脱フック部２３２１は第１結合段１３２１とフック結合され、第２着脱フック部２３２２は第２結合段１３２２とフック結合され、ホルダー２３０はホルダー装着部１３０に着脱可能に結合される。
【０１０９】
ハウジング２２０はハンドルボディー２１０の上端に結合される。例えば、ハウジング２２０は、ハンドルボディー２１０の上端の両側から突出した締結突起（図示されず）と締結される締結溝（符号なし）が形成される。また、ハウジング２２０にはハ、ウジング２２０の後方に移動可能に設置されたプッシュボタン２４１と、プッシュボタン２４１と連動してホルダー装着部１３０の着脱突起１３１を加圧するプッシュ突起２４２と、移動したプッシュボタン２４１を元の状態に復帰させる弾性力を提供する弾性部材Ｓが設置される。
【０１１０】
これに伴い、ホルダー２３０がホルダー装着部１３０に結合された状態で、使用者がプッシュボタン２４１を操作してプッシュ突起２４２が着脱突起１３１と密着して加圧する場合、カミソリカートリッジ１００には上側の方向に外力が加えられる。したがって、ホルダー２３０がホルダー装着部１３０から分離されることによって、カミソリカートリッジ１００がハンドルアセンブリー２００から滑らかに着脱され得る。
【０１１１】
以上では本発明の好ましい実施例について図示して説明したが、本発明は前述した特定の実施例に限定されず、特許請求の範囲で請求する本発明の要旨を逸脱することなく、当該発明が属する技術分野で通常の知識を有する者によって多様な変形実施が可能であることはもちろん、このような変形実施は本発明の技術的思想や展望から個別的に理解されてはならないであろう。
【０１１２】
本発明の実施例に係るカミソリは、前面および後面の一部が開放されたカートリッジ本体、前記カートリッジ本体の後面に一体に形成される第１結合部と、前記カートリッジ本体の後面に一体に形成され、前記第１結合部と離隔して配置される第２結合部を含むコネクター装着部、前記カートリッジ本体の後面に一体に形成され、前記第１および第２結合部の間に位置するホルダー装着部、使用者によって把持されるハンドルボディーと、前記ハンドルボディーの上側に回動可能に位置して前記ホルダー装着部に着脱可能に結合されるホルダーを含むハンドルアセンブリーおよび前記第１および第２結合部に結合されて前記ホルダー装着部に結合された前記ホルダーの少なくとも一部を包み込むコネクターを含む。
【図１】
0006600092.tif 000002
【図２】
0006600092.tif 000003
【図３】
0006600092.tif 000004
【図４】
0006600092.tif 000005
【図５】
0006600092.tif 000006
【図６】
0006600092.tif 000007
【図７】
0006600092.tif 000008
【図８】
0006600092.tif 000009
【図９】
0006600092.tif 000010
【図１０】
0006600092.tif 000011
【図１１】
0006600092.tif 000012
【図１２】
0006600092.tif 000013
【図１３】
0006600092.tif 000014